(57)【要約】      （修正有）【課題】携帯小物が簡単に出し入れ出来るポケットを有するバッグを提供する。【解決手段】ポケットの袋部分２が、均一の厚みからなる弾性体４から形成された携帯小物用ポケット３を有するバッグ１であるため、携帯小物を挿入した際に、携帯小物をポケット内部で弾性体とバッグとの面圧によってしっかりと保持出来、出し入れの際はもちろん、この弾性体のやわらかさにより、脱着が大変スムーズとなり、留め具やベルト等でフタをする必要の無い優れたバッグとなる。【選択図】図２
0003173937.tif 000002
【実用新案登録請求の範囲】
【請求項１】
ポケットの袋部分（２）が、均一の厚みからなる弾性体（４）から形成された携帯小物用ポケット（３）を有するバッグ（１）。
【請求項２】
弾性体（４）が、ウレタンスポンジ又は伸縮性繊維素材からなる請求項１記載のバッグ（１）。
【請求項３】
ポケットの袋部分（２）の両サイドが伸縮性素材（５）によって、バッグ（１）に一体化されていることを特徴とする請求項１記載のバッグ（１）。
【請求項４】
弾性体（４）が、ポケットの袋部分（２）に、布又は革に被われて一体形成されていることを特徴とする請求項１記載のバッグ（１）。
【考案の詳細な説明】
【技術分野】
【０００１】  本考案のバッグは、携帯小物が簡単に出し入れ出来るポケットを有するバッグに関するものである。
【背景技術】
【０００２】  従来、携帯小物用ポケットを有するバッグのポケットは携帯小物を挿入した後、留め具やベルト等でフタをして小物類がバッグのポケットから落ちないようにしていた。【０００３】  一方で軟らかい弾性体からなる円筒、角筒又は扁平角筒状にした本体の内周面に鋸刃状の三角山形をした突起を複数列設けたことを特徴とするソフトホルダーが知られている。
【先行技術文献】
【特許文献】
【０００４】
【特許文献】  特許公開２００１−１７３０５号公報
【考案の概要】
【考案が解決しようとする概要】
【０００５】  しかしながら上記の留め具やベルト等でフタをして携帯小物がバックのポケットから落ちないようにしていたものは、この留め具やベルト等でフタの開け閉めをする作業が大変煩雑で、いちいちバッグのポケットに両手で開けて挿入、開けて取り出しという課題があった。
【０００６】  一方、特許公開２００１−１７３０５号公報のものは、ソフトホルダー単体であるため片方の手でソフトホルダーを保持し、もう片方の手で小物品を出し入れするという両手での作業が必要であった。
【０００７】  更に、鋸刃状の三角山形をした突起を複数列、筒状の本体内周面に形成するにはコストと手間のかかる欠点があった。実際に該ソフトホルダーの鋸刃状の三角山形をした突起の弾性体としてはスポンジ、いわゆるウレタンフォームに限定される課題があった。
【課題を解決するための手段】
【０００８】  上記課題を解決するために本考案はポケットの袋部分（２）が、均一の厚みからなる弾性体（４）から形成された携帯小物用ポケット（３）を有するバッグ（１）とする。
【０００９】  なお、本考案でいう携帯小物は、携帯電話、スマートフォン、携帯情報端末、携帯音楽プレイヤー更にはコンパクトやリップクリーム等の化粧携帯小物等の事を言う。
【考案の効果】
【００１０】  本考案のバッグはポケットの袋部分が均一の厚みを有する弾性体から形成されているため、携帯小物をポケット内部で弾性体とバッグとの面圧によってしっかりと保持出来る。もちろん取り出す際には、この弾性体のやわらかさにより挿入時と同様に容易に取り出すことが出来る。そのため留め具やベルト等でフタをする必要が無くなる。
【００１１】  更に、かなりの厚みのある携帯小物であったとしても、ポケットの袋部分の両サイドが伸縮性素材、例えば平ゴム等によって、バッグに一体化されているため、かなりの厚みのものでも保持、出し入れが簡単に出来る優れたものになる。
【００１２】  又、弾性体がポケットの袋部分に、布又は革に被われて一体形成されているため、出し入れする回数が多かったり乱暴に扱ったとしてもその機能を損なうことなく取り扱うことの出来る優れたものとなる。
【００１３】  なお、本考案のバッグは携帯小物を保持するポケットとして存在するため、例えばバッグを肩にかけたり、片手でハンドルを握ったまま、片手の手だけで携帯小物を容易に出し入れ出来る優れたバッグである。
【図面の簡単な説明】
【００１４】
【図１】  本考案の一実施例を示す斜視図である。
【図２】  本考案の図１のＡ−Ａ′断面図である。
【図３】  本考案の図１のＢ−Ｂ′断面図である。
【図４】  本考案の別の一実施例を示す斜視図である。
【図５】  本考案の図４のＣ−Ｃ′断面図である。
【図６】  本考案の使用時の一実施例を示す斜視図である。
【考案を実施するための形態】
【００１５】  本考案におけるバッグの大きさ、種類、デザイン、材質、製造方法等は特に限定されない。
【００１６】  又、バッグに形成されるポケットの袋部分の大きさ、デザイン、材質等も特に限定されないが、携帯小物の種類、例えば携帯電話、スマートフォン等の厚みや大きさによって自由に決める事が出来る。
【００１７】  均一の厚みからなる弾性体の厚みや大きさ等も特に限定されないが、こちらも使用する携帯小物の種類によって自由に決める事が出来る。
【００１８】  本考案でいう弾性体とは、一定の伸縮性が有り、面全体で携帯小物をポケット内部でバッグとの間に保持出来るものであれば良く、例えばウレタンスポンジ又は伸縮性繊維素材が好ましい。
【００１９】  なお、かなりの厚みのある携帯小物を保持するバッグとする場合には、ポケットの袋部分の両サイドが例えば平ゴムのような伸縮性素材によってバッグに一体化しておけば、出し入れや保持が簡単に出来るため好ましい。特に両サスドがマチ部として構成されるのが好ましい。
【００２０】  なお、弾性体が、ポケットの袋部分に、布又は革に被われて一体形成しておけば、デザイン的にも見映えの良いものとなり、頻繁に出し入れしたり乱暴に扱ったとしてもその機能を損なわないものとなる。特にメガネの汚れ拭きのような生地で縫製の手段で一体形成しておけば、携帯小物の出し入れの度に、例えばスマートフォン等の画面を綺麗にすることが出来る。
以下、実施例と図に基づき説明する。
【実施例】
【００２１】  以下、本考案の一実施例を図１、図２、図３、図４、図５及び図６で説明するがこれによって本考案は何ら限定されるものではない。【００２２】  図１は、本考案のバッグ（１）を正面からみた一例の斜視図である。バッグ（１）の側面に携帯小物用ポケット（３）が設けられている。【００２３】  図２は、本考案の図１のＡ−Ａ′の断面図である。バッグ（１）側面の携帯小物用ポケット（３）のうち、ポケットの袋部分（２）が均一の厚みからなる弾性体（４）によって形成されている。【００２４】  図３は、本考案の図１のＢ−Ｂ′の断面図であり、弾性体（４）がポケットの袋部分（２）に均一の厚みから形成されているのがわかる。【００２５】  図４は、本考案の別の一実施例のバッグ（１）を正面からみた例を示した斜視図である。これはポケットの袋部分（２）の両サイドが伸縮性素材（５）である平ゴムによってマチ部としてバッグ（１）に一体形成されている。【００２６】  図５は、本考案の図４のＣ−Ｃ′の断面図であり、マチ部の両サイドの平ゴムの伸び縮みにより厚みのある携帯小物を挿入するスペースが出来ることがわかる。【００２７】  図６は、本考案の使用時の一実施例を示す斜視図であり、バッグ（１）側面の携帯小物用ポケット（３）に携帯小物（６）が出し入れされている様子を示している。
【産業上の利用の可能性】
【００２８】  本考案のバッグはポケットの袋部分が均一の厚みを有する弾性体から形成されているため、携帯電話やスマートフォン等の携帯小物を挿入した際に、バッグとポケットの袋部の弾性体の面圧によって、しっかりと保持出来、留め具やベルト等でフタをする必要のない優れたバッグとなる。
【００２９】  又、かなりの厚みのある携帯小物であったとしても、ポケットの袋部分の両サイドが例えば平ゴムのような伸縮性素材でバッグにマチ部として一体化されているため、出し入れも簡単でしっかりと保持出来る優れたバッグとなる。
【００３０】  更に、弾性体が、ポケットの袋部分に、布又は革に被われて一体形成しておけば、デザイン的にも見映えが良く、頻繁に出し入れしたり、乱暴に扱ったとしてもその機能を損なわない優れたバッグとなる。特にメガネの汚れ拭きのような生地で縫製して一体形成しておけば、スマートフォンの画面のように汚れやすい携帯小物をキレイにするバッグとなる。
【００３１】  なお、携帯小物のうち、例えば筆記具などの細長い物、化粧用コンパクトやリップクリームのような化粧用の携帯小物など頻繁に取り出すものであっても、挿入すれば弾性体とバッグの面圧によってしっかりと保持出来、バッグを逆さまにしても携帯小物は脱落せずに保持出来る優れたバッグとなる。
【符号の説明】  １  バッグ    ２  ポケットの袋部分    ３  携帯小物用ポケット    ４  弾性体
５  伸縮性素材    ６  携帯小物
【図１】
0003173937.tif 000003
【図２】
0003173937.tif 000004
【図３】
0003173937.tif 000005
【図４】
0003173937.tif 000006
【図５】
0003173937.tif 000007
【図６】
0003173937.tif 000008